(57)【要約】【課題】ショックプルーフメモリとして使用される記憶手段のディスク再生時以外での活用を十分に図ることができるオーディオ装置を提供すること。【解決手段】ディスク駆動部１１を含む複数の異なる音源部を備えたオーディオ装置１０であって、これら各音源部から出力された信号を記憶可能な記憶手段１５と、記憶手段１５への信号の書き込み及び読み出し制御を行う制御手段１７、１８とを備え、制御手段１７、１８が、ディスク再生時に、ディスク１から通常再生速度よりも高速で読み取られた信号を記憶手段１５に書き込む制御を行う一方、ディスク非再生時に、ディスク駆動部１１を除く他の音源部（チューナ部）１９から出力された信号を記憶手段１５に書き込む制御を行う。【選択図】図２
2008004179.tif 000002
【特許請求の範囲】
【請求項１】
ディスク読取手段を含む複数の異なる音源部を備えたオーディオ装置であって、
これら各音源部から出力された信号を記憶可能な記憶手段と、
該記憶手段への信号の書き込み及び読み出し制御を行う制御手段とを備え、
該制御手段が、ディスクの再生時に、該ディスクから通常再生速度よりも高速で読み取られた信号を前記記憶手段に書き込む制御を行う一方、ディスクの非再生時に、前記ディスク読取手段を除く他の音源部から出力された信号を前記記憶手段に書き込む制御を行うものであることを特徴とするオーディオ装置。
【請求項２】
前記制御手段が、前記他の音源部の信号を遡って再生させる指令を検出した場合に、前記記憶手段に書き込まれた前記他の音源部の信号を遡って読み出す制御を行うものであることを特徴とする請求項１記載のオーディオ装置。
【請求項３】
前記制御手段が、前記他の音源部から出力された信号の前記記憶手段への書き込み中に書込停止指令を検出した場合に、前記他の音源部から出力された信号の前記記憶手段への書き込みを停止し、該書き込まれた他の音源部の信号を保持する制御を行うものであることを特徴とする請求項１又は請求項２記載のオーディオ装置。
【請求項４】
前記他の音源部から出力された信号を前記記憶手段に書き込むか否かの設定を切り替える書込設定切替手段を備え、
該書込設定切替手段により前記他の音源部から出力された信号を前記記憶手段に書き込まない設定に切り替えられている状態で、前記他の音源部が選択され、かつ前記ディスク読取手段にディスクが装着されている場合、前記制御手段が、前記ディスクの次の再生開始位置からの信号を前記記憶手段に書き込む制御を行うものであることを特徴とする請求項１〜３のいずれかの項に記載のオーディオ装置。
【請求項５】
前記制御手段が、前記記憶手段の記憶領域をディスク用と他音源用とに分割し、これら各記憶領域に対して信号の書き込み及び読み出し制御を行うものであることを特徴とする請求項１〜４のいずれかの項に記載のオーディオ装置。
【請求項６】
前記制御手段が、
前記分割された前記ディスク用の記憶領域と前記他音源用の記憶領域とを再結合させる指令を検出した場合に、選択されている音源部の蓄積データを連続して読み出し可能な位置に再配置して、前記ディスク用の記憶領域と前記他音源用の記憶領域とを再結合し、選択されている音源部から出力された信号の書き込み及び読み出し制御を行うものであることを特徴とする請求項５記載のオーディオ装置。
【請求項７】
前記制御手段が、前記他音源用の記憶領域に書き込まれたデータを保護する設定がなされている場合に、該保護設定された記憶領域への書き込みを禁止する制御を行うものであることを特徴とする請求項５又は請求項６記載のオーディオ装置。
【請求項８】
前記制御手段が、
前記ディスク読取手段にディスクが装着されているが、該ディスクの再生が行われていない場合に、前記ディスクから次の再生開始位置からの信号を読み込んで前記記憶手段に書き込む一方、
前記ディスクの再生指令を検出した場合に、前記記憶手段に書き込まれた前記ディスクの信号の読み出しを開始した後、前記ディスクから信号を読み込む制御を行うものであることを特徴とする請求項５〜７のいずれかの項に記載のオーディオ装置。
【請求項９】
前記ディスクの再生指令が検出された時の前記記憶手段に書き込まれている前記ディスクの蓄積データ量が所定量より少ない場合、前記制御手段が、前記ディスクから必要量の信号を読み込み、前記記憶手段に書き込んだ後、該記憶手段から蓄積データを読み出す制御を開始するものであることを特徴とする請求項５〜８のいずれかの項に記載のオーディオ装置。
【請求項１０】
前記記憶手段が、非圧縮信号又は圧縮信号を読み書き自在に記憶可能なものであり、
前記他の音源部から出力された信号を圧縮して前記記憶手段に送出する圧縮処理手段と、
前記記憶手段から読み出された圧縮信号を伸張する伸張処理手段とを備えていることを特徴とする請求項１〜９のいずれかの項に記載のオーディオ装置。
【請求項１１】
前記ディスク読取手段からの信号が入力されるディスク信号入力部と、
前記他の音源部からの信号が入力される他音源信号入力部と、
前記記憶手段と、
前記制御手段と、
前記記憶手段から読み出された信号が出力される信号出力部とが、１つの集積回路で構成されていることを特徴とする請求項１〜１０のいずれかの項に記載のオーディオ装置。
【発明の詳細な説明】
【技術分野】
【０００１】
本発明はオーディオ装置に関し、より詳細には、ディスクから信号を高速で読み取ってメモリに書き込むと共に、該メモリから通常再生速度で信号を読み出して再生を行う機能を備えたオーディオ装置に関する。
【背景技術】
【０００２】
図１は、従来の車載用オーディオ装置の要部を概略的に示したブロック図である。従来の車載用オーディオ装置１００は、ラジオ放送波を受信するチューナ等を含むラジオ受信部１０１、ディスク（例えば、ＣＤやＭＤ等）の再生を行うディスク再生部１０２、制御部１０６からの選択信号に基づいてラジオ受信部１０１又はディスク再生部１０２を選択するためのセレクタ１０３、各種の釦スイッチ等から構成される操作部１０４、液晶パネル等から構成される表示部１０５、及びこれら各部を制御する制御部１０６を含んで構成されている。
【０００３】
また、ディスク再生部１０２には、振動等の影響による再生時の不快な音飛びを防止するための機能、すなわち、ディスクに記録されている信号を通常再生速度よりも高速で読み込んでショックプルーフメモリ（図示せず）に書き込むと共に、該ショックプルーフメモリから通常再生速度で信号を連続的に読み出し、Ｄ／Ａ変換して再生する機能が装備されている。このようなショックプルーフメモリが搭載された再生装置については、例えば、下記の特許文献１等に開示されている。
【０００４】
斯る機能により、再生中の振動等によってトラックジャンプ等の読み込みエラーが発生した場合でも、ショックプルーフメモリに蓄積されたデータを読み出して再生を継続するため、音飛びや音切れが生じにくく、聴取者に不快感を与えることの少ない再生を行うことが可能になっている。
【０００５】
しかしながら、従来のオーディオ装置１００では、ラジオ受信部１０１とディスク再生部１０２とが、各々別個の集積回路で構成されていたため、ディスク再生部１０２のショックプルーフメモリは、ディスク再生時にしか利用されておらず、例えば、ラジオ受信部１０１を作動させてラジオ放送波を受信している時、ショックプルーフメモリへの信号の書き込みは行われておらず、数Ｍbyte〜１０Ｍbyte程度の容量があるショックプルーフメモリ（一般的にＤＲＡＭ）の活用が十分に図られていないという問題があった。
【特許文献１】特開平８−３３５３６４号公報
【発明の開示】
【課題を解決するための手段及びその効果】
【０００６】
本発明は上記課題に鑑みなされたものであって、ショックプルーフメモリとして使用される記憶手段のディスク再生時以外での活用を十分に図ることができるオーディオ装置を提供することを目的としている。
【０００７】
上記目的を達成するために本発明に係るオーディオ装置（１）は、ディスク読取手段を含む複数の異なる音源部を備えたオーディオ装置であって、これら各音源部から出力された信号を記憶可能な記憶手段と、該記憶手段への信号の書き込み及び読み出し制御を行う制御手段とを備え、該制御手段が、ディスクの再生時に、該ディスクから通常再生速度よりも高速で読み取られた信号を前記記憶手段に書き込む制御を行う一方、ディスクの非再生時に、前記ディスク読取手段を除く他の音源部から出力された信号を前記記憶手段に書き込む制御を行うものであることを特徴としている。
【０００８】
上記オーディオ装置（１）によれば、前記ディスクの再生時には、再生音の音飛びを防止するために前記ディスクから再生時点よりも先行して読み取られた信号が前記記憶手段に書き込まれる一方、前記ディスクの非再生時には、前記他の音源部から出力された信号が前記記憶手段に書き込まれる。したがって、前記ディスクの再生時に音飛び防止のために使用されていた前記記憶手段を、前記ディスクの非再生時には、前記他の音源部から出力された信号を記憶することができ、前記記憶手段を前記他の音源部の音声の聞き逃し（追っかけ）再生等のために利用することが可能となり、前記記憶手段の有効利用を図ることができ、新たな記憶部品を追加することなく、前記他の音源部の聞き逃し再生機能等を低コストで実現することができる。
【発明を実施するための最良の形態】
【０００９】
以下、本発明に係るオーディオ装置の実施の形態を図面に基づいて説明する。図２は、実施の形態（１）に係るオーディオ装置の要部を概略的に示したブロック図である。
【００１０】
図中１０は、ディスク（例えば、ＣＤ）の再生機能とラジオ放送波の受信機能とを備えているオーディオ装置を示しており、オーディオ装置１０は、ディスク駆動部１１、サーボ部１２、ＲＦアンプ１３、ディジタル信号処理部１４、ショックプルーフメモリ１５、Ｄ／Ａ（ディジタル／アナログ）変換部１６、メモリ制御部１７、システム制御部１８、チューナ部１９、Ａ／Ｄ（アナログ／ディジタル）変換部２０、切替スイッチ２１、操作部２２、表示部２３を含んで構成されている。なお、オーディオ装置１０は、車両のＡＣＣ（アクセサリー）電源（図示せず）に接続されており、ＡＣＣ電源のオン時に作動する車載用機器として構成されている。
【００１１】
ディスク読取手段を構成するディスク駆動部１１は、ディスク１を所定の速度で回転させるスピンドルモータ１１ａ、ディスク１に記録された信号を検出する光ピックアップ１１ｂ、及び光ピックアップ１１ｂをディスク半径方向へ移動させる送りモータ１１ｃを含んで構成されている。なお、ディスク駆動部１１は、１枚のディスクのみ収納して、該ディスクの読取を行う装置の他、複数枚のディスクを収納して、これらディスクの中から選択されたディスクの読取を行うチェンジャー形式の装置を適用することも可能である。      
【００１２】
ＲＦアンプ１３は、光ピックアップ１１ｂの検出信号に基づいて、ＥＦＭ信号、フォーカスエラー信号、ＣＬＶ制御信号等を作成するものであり、また、オーディオ装置１０に大きな振動や衝撃が加わって、ディスクのトラックジャンプが発生した場合に、トラックジャンプ信号を出力する機能なども備えている。
【００１３】
サーボ部１２は、エラー信号、ＣＬＶ制御信号等を用いてシステム制御部１８の指令に基づいて、スピンドルモータ１１ａ、光ピックアップ１１ｂ、送りモータ１１ｃに対し、ディスク１の信号読み取り等に必要な各種のサーボ（フォーカスサーボ、トラッキングサーボ、回転サーボ）制御を行うものである。
【００１４】
ディジタル信号処理部１４は、ＲＦアンプ１３から出力される信号に対して、同期検出、ＥＦＭ復調を行った後、ＣＩＲＣ（Cross Interleaved Reed-Solomon Code ）、すなわち誤り訂正符号に従って誤り検出・訂正処理を行い、ディジタルのオーディオ信号を出力するものであり、同期検出部１４ａ、ＥＦＭ復調部１４ｂ、ＣＩＲＣデコード部１４ｃ、及びエラー訂正（ＥＣＣ）メモリ１４ｄを含んで構成されている。
【００１５】
ショックプルーフメモリ１５は、ディジタル信号処理部１４から出力されるオーディオ信号を一時記憶する、又はＡ／Ｄ変換部２０から出力されるラジオ信号を一時記憶するためのものであり、ＤＲＡＭが採用され得る。
【００１６】
Ｄ／Ａ変換部１６は、ショックプルーフメモリ１５から転送されてきたディジタルのオーディオ信号やラジオ信号をアナログ信号に変換して出力するものであり、変換されたオーディオやラジオのアナログ信号は、図示しないアンプで増幅された後、スピーカから音声として出力される。
【００１７】
メモリ制御部１７は、システム制御部１８からの制御信号に基づいて、ショックプルーフメモリ１５に対する信号の読み書きを制御するものであり、ディジタル信号処理部１４から出力されるオーディオ信号をショックプルーフメモリ１５に書き込む動作と該書き込まれたオーディオ信号を所定速度で読み出す動作とを制御する機能と、Ａ／Ｄ変換部２０から出力されるラジオ信号をショックプルーフメモリ１５に書き込む動作と該書き込まれたラジオ信号を所定速度で読み出す動作とを制御する機能とを備えている。
【００１８】
システム制御部１８は、サーボ部１２に対して各種のサーボ指令を出力したり、ディジタル信号処理部１４から出力されるＴＯＣ情報等を取り込み、ディスク１の再生に必要な各部の制御を行う、さらに、各種釦スイッチ等から構成される操作部２２を通じて入力された信号に基づいて、モード（ディスク再生、ラジオ受信）等の切り替え制御、チューナ部１９に対する選局等の制御、液晶パネル等から構成される表示部２３への表示制御などを行うものであり、ＣＰＵ、ＲＡＭ、ＲＯＭを備えたマイコンで構成されている。メモリ制御部１７とシステム制御部１８との機能により制御手段が構成されている。
【００１９】
ディスク駆動部１１（ディスク読取手段）を除く他の音源部として採用されたチューナ部１９は、アンテナ１９ａでとらえた電波を増幅し、目的とする周波数の放送波を選択し（同調）、選択された放送波から信号波を分離して取り出すものであり、フロントエンド、検波回路、及び復調回路（いずれも図示せず）を含んで構成されている。なお、他の音源部とは、ディスク駆動部１１（ディスク読取手段）以外の音源部を示している。
【００２０】
Ａ／Ｄ変換部２０は、チューナ部１９から送られてきたアナログのラジオ信号をディジタル信号に変換して出力するものであり、Ａ／Ｄ変換部２０は、切替スイッチ２１を介してショックプルーフメモリ１５とＤ／Ａ変換部１６とに分岐接続されている。
【００２１】
切替スイッチ２１（書込切替設定手段）は、システム制御部１８からの制御信号に基づいて、ショックプルーフメモリ１５側の端子Ｔ１又はＤ／Ａ変換部１６側の端子Ｔ２に経路を切り替えるスイッチ回路から構成されている。
【００２２】
そして、オーディオ装置１０では、モード（音源選択）がラジオで、かつ切替スイッチ２１が端子Ｔ１に切り替えられている場合に、チューナ部１９で受信しているラジオ信号がショックプルーフメモリ１５に蓄積されるように構成されており、また、モードがラジオで、切替スイッチ２１が端子Ｔ２に切り替えられ、かつディスク１が装着されている場合は、ディスク１の次の再生開始位置からの信号を先読みし、先読みされたディスクの信号がショックプルーフメモリ１５に蓄積されるようになっている。
【００２３】
これらサーボ部１２、ＲＦアンプ１３、ディジタル信号処理部１４、ショックプルーフメモリ１５、Ｄ／Ａ変換部１６、メモリ制御部１７、システム制御部１８、Ａ／Ｄ変換部２０、及び切替スイッチ２１を含んで、１チップのオーディオ装置用集積回路３０が構成されている。なお、図中３０ａは、ディスク１の信号が入力されるディスク信号入力部、３０ｂは、チューナ部１９で受信されたラジオ信号が入力されるラジオ信号入力部、３０ｃは、ショックプルーフメモリ１５から読み出されたディスク信号やラジオ信号が出力される信号出力部を示している。
【００２４】
次に実施の形態（１）に係るオーディオ装置１０におけるシステム制御部１８の行う処理動作を図３−１〜図３−３に示したフローチャートに基づいて説明する。
まず、ＡＣＣ電源がオンされたか否かを判断し（ステップＳ１）、ＡＣＣ電源がオンされていないと判断すれば処理を終える一方、ＡＣＣ電源がオンされたと判断すれば、モード（選択音源）を判断する（ステップＳ２）。なお、モードの判断は、前回のＡＣＣ電源オフ時のモード（ラストモード）や操作部２２を介して入力されたモードの選択信号に基づいて判断される。
【００２５】
ステップＳ２において、モードがディスクであると判断すれば、通常のディスク再生処理（すなわち、ディスク１の信号を通常再生速度よりも高速で読み取り、ショックプルーフメモリ１５に書き込むと共に、ショックプルーフメモリ１５から通常再生速度でデータを連続的に読み出して再生する処理）に進む。
【００２６】
なお、通常再生速度とは、聴取者がディスクの情報（曲）を普通に聞き取れるように設定された所定の回転速度でディスク１を回転させて、ディスク１から信号を読み取り再生する時の速度を示しており、ショックプルーフメモリ１５には、この通常再生速度よりもディスク１を高速回転させることでより速くディスクの信号が記憶されるようになっている。また、ショックプルーフメモリ１５に対し、通常再生速度にてディスクの信号を記憶させる場合があってもよい。
【００２７】
一方、ステップＳ２において、モードがラジオであると判断すれば、切替スイッチ２１の設定状態を判断する（ステップＳ３）。なお、切替スイッチ２１の設定状態は、前回のＡＣＣ電源オフ時の設定データや操作部２２を介して入力された切替スイッチ２１の設定に基づいて判断される。
【００２８】
ステップＳ３において、切替スイッチ２１が、端子Ｔ１に切り替えられていると判断すれば、チューナ部１９で受信され、Ａ／Ｄ変換部２０でＡ／Ｄ変換されたラジオ信号をショックプルーフメモリ１５に順次書き込む（空き領域が無くなれば上書き保存）と共に、ショックプルーフメモリ１５に書き込まれたラジオ信号を順次読み出し、Ｄ／Ａ変換部１６に転送して、通常放送速度でラジオ音声を出力するラジオ信号の書込・読出処理を行う（ステップＳ４）。
【００２９】
図４は、ショックプルーフメモリ１５へのラジオ信号の書込動作を説明するためのメモリマップ図である。図中のポイントＰａは、現在時のラジオ信号の書き込みポイント、ポイントＰｂは、最も古いデータの記録ポイントを示しており、新しいデータは、ポイントＰａから順次ＨＩに向かって書き込まれ、ＨＩに達すればＬＯＷへ移動し、以後循環して書き込まれる（古いデータは新しいデータに上書きされる）ようになっている。
【００３０】
その後、ショックプルーフメモリ１５に蓄積されたラジオ信号を遡って再生させるための聞き逃し再生操作があったか否かを判断し（ステップＳ５）、聞き逃し再生操作があったと判断すれば、ショックプルーフメモリ１５上における最も古いラジオ信号が蓄積されているポイントを再生ポイントに切り替える（図４の場合、ＰａからＰｂに切り替える）処理を行う（ステップＳ６）。
【００３１】
次に、切り替えられた再生ポイント（図４の場合、Ｐｂ）からラジオ信号を順次読み出し、Ｄ／Ａ変換部１６に転送して、通常再生速度でラジオ音声を出力する聞き逃し再生処理を開始すると共に、チューナ部１９で受信され、Ａ／Ｄ変換されたラジオ信号をショックプルーフメモリ１５に順次書き込む処理を行う（ステップＳ７）。
【００３２】
その後、聞き逃し再生から元のリアルタイムの再生に戻す再生ポイントの復帰操作があったか否かを判断し（ステップＳ８）、再生ポイントの復帰操作がなかったと判断すればステップＳ７に戻り、聞き逃し再生・書込処理を繰り返す一方、再生ポイントの復帰操作があったと判断すれば、再生ポイントを現在のラジオ信号の書き込みポイント（図４の場合、Ｐａ）に切り替え（ステップＳ９）、その後ステップＳ４に戻り、ラジオ信号の書込・読出処理を行う。
【００３３】
なお、上記ステップＳ８、９では、再生ポイントの復帰操作があった場合に、再生ポイントを切り替える、換言すれば、復帰操作があるまで、追っかけ再生の状態が継続されるようになっているが、別の実施の形態では、聞き逃し再生時の読み出し速度を、通常放送速度よりも若干高める、又は、読み出しデータを間引くことにより、復帰操作を行うことなく、自動で元の状態（現在のラジオ信号の書き込みポイント）に戻る処理とすることもできる。
【００３４】
一方ステップＳ５において、聞き逃し再生操作がなかったと判断すればステップＳ１０（図３−２）に進み、ステップＳ１０では、ラジオ信号のショックプルーフメモリ１５への書き込みを停止させるための操作があったか否かを判断し、書込停止操作があったと判断すれば、ラジオ信号のショックプルーフメモリ１５への書き込みを停止させるために、切替スイッチ２１を端子Ｔ１から端子Ｔ２に切り替える処理を行い（ステップＳ１１）、ショックプルーフメモリ１５に蓄積されたラジオ信号のデータを保持する（ステップＳ１２）。なお、チューナ部１９で受信してＡ／Ｄ変換されたラジオ信号は、Ｄ／Ａ変換部１６でアナログのラジオ信号に変換されて、アンプへ出力されるようになっている。
【００３５】
その後、ショックプルーフメモリ１５に保持されたラジオ信号の蓄積データを再生させるための操作があったか否かを判断し（ステップＳ１３）、保持データの再生操作がなかったと判断すればステップＳ１９に進む一方、保持データの再生操作があったと判断すれば、チューナ部１９に受信停止信号を出力し、ラジオ放送の受信を一時停止させる処理を行う（ステップＳ１４）。
【００３６】
その後、ショックプルーフメモリ１５上における最も古いラジオ信号が蓄積されたポイント（図４の場合、ポイントＰｂ）を、再生開始ポイントに設定し（ステップＳ１５）、該再生開始ポイント（Ｐｂ）からラジオ信号を通常放送速度で順次読み出して（図４の場合、Ｐｂ→ＨＩ→ＬＯＷ→Ｐａの順で読み出して）、Ｄ／Ａ変換部１６に転送する保持データ再生処理を行う（ステップＳ１６）。なお、保持データの再生は、操作部２２を介して設定された回数繰り返して（すなわち、図４におけるＰｂ→ＨＩ→ＬＯＷ→Ｐａを繰り返し）再生させることが可能となっている。
【００３７】
その後、保持データの再生処理が終了したか否かを判断し（ステップＳ１７）、保持データ再生処理が終了していないと判断すればステップＳ１６に戻る一方、保持データ再生処理が終了したと判断すれば、チューナ部１９に受信再開信号を出力し、チューナ部１９でのラジオ放送の受信再開（一時停止解除）処理を行う（ステップＳ１８）。
【００３８】
その後、ショックプルーフメモリ１５へのラジオ信号の書込停止状態を解除する操作があったか否かを判断し（ステップＳ１９）、書込停止解除操作があったと判断すれば、切替スイッチ２１を、Ｔ２からＴ１に切り替える処理を行い（ステップＳ２０）、その後ステップＳ３に戻り処理を繰り返す。
【００３９】
一方ステップＳ１９において、書込停止解除操作がなかったと判断すれば、ＡＣＣ電源がオフされたか否かを判断し（ステップＳ２１）、ＡＣＣ電源がオフされていないと判断すればステップＳ１３に戻り処理を繰り返す一方、ＡＣＣ電源がオフされたと判断すれば、その後処理を終える。
【００４０】
また一方、ステップＳ１０において、書込停止操作がなかったと判断すればステップＳ２２に進み、ＡＣＣ電源がオフされたか否かを判断し、ＡＣＣ電源がオフされていないと判断すればステップＳ４に戻り処理を繰り返す一方、ＡＣＣ電源がオフされたと判断すれば、その後処理を終える。
【００４１】
一方、ステップＳ３（図３−１）において、切替スイッチ２１が、端子Ｔ２に切り替えられていると判断すればステップＳ３１（図３−３）に進む。なお、端子Ｔ２に切り替えられている場合、チューナ部１９で受信され、Ａ／Ｄ変換されたラジオ信号は、Ｄ／Ａ変換部１６でアナログのラジオ信号に変換された後、アンプへ出力されるようになっている。
【００４２】
ステップＳ３１では、ディスク１が装着されているか否かを判断し、ディスク１が装着されていないと判断すれば処理を終える一方、ディスク１が装着されていると判断すれば、ディスク１の次の再生開始位置からの信号を読み込み、ショックプルーフメモリ１５に書き込むディスク信号の先読み蓄積処理を行う（ステップＳ３２）。
【００４３】
すなわち、前回のＡＣＣ電源オフ時に記憶されたデータ（前回の再生停止位置、未再生の場合は先頭曲の位置）等に基づいて、ディスク１の信号読み取り位置を設定し、ショックプルーフメモリ１５上におけるディスク信号の書込開始ポイントを設定し、通常再生速度よりも高速でディスク１の信号を読み込み、読み込んだディスク１の信号を書込開始ポイントから順次書き込む処理を行う。なお、書き込み時に、トラックジャンプ等の修復不能なエラーが検出された場合には、同一箇所を再度読み込むようになっている。
【００４４】
次に、ショックプルーフメモリ１５が満杯（Ｆｕｌｌ）になったか否か、すなわち、空き領域が、所定容量（一回のアクセスで読み込み可能なデータ量）未満になったか否かを判断し（ステップＳ３３）、ショックプルーフメモリ１５が満杯ではないと判断すれば、ステップＳ３２に戻り処理を繰り返す一方、ショックプルーフメモリ１５が満杯であると判断すれば、ディスク１からの信号の読み込みを停止し、ショックプルーフメモリ１５に書き込まれたディスク信号を保持する処理を行う（ステップＳ３４）。
【００４５】
その後、モードがラジオからディスクへ切り替えられたか否かを判断し（ステップＳ３５）、モードがラジオからディスクへ切り替えられたと判断すれば、ショックプルーフメモリ１５に書き込まれている次の再生開始位置からのディスク信号を通常再生速度で読み出し、Ｄ／Ａ変換部１６に転送するディスクの保持データ再生処理を開始する（ステップＳ３６）。
【００４６】
その後、ショックプルーフメモリ１５の保持データ量が、先読み処理を開始する所定容量以下になったか否かを判断し（ステップＳ３７）、保持データ量が所定容量以下になっていないと判断すればステップＳ３７に戻る一方、保持データ量が所定容量以下になったと判断すれば、ショックプルーフメモリ１５に保持されたデータの続きの信号を通常再生速度よりも高速で読み込む高速先読み処理を行い（ステップＳ３８）、読み込んだ信号をショックプルーフメモリ１５に順次書き込み（ステップＳ３９）、その後ショックプルーフメモリ１５が満杯になったか否かを判断する（ステップＳ４０）。
【００４７】
ステップＳ４０において、満杯になっていないと判断すればステップＳ３９に戻る一方、満杯になったと判断すれば、ディスク１の読み込みを一時停止する処理を行う（ステップＳ４１）。
【００４８】
その後、モードがディスクからラジオに切り替えられたか否かを判断し（ステップＳ４２）、モードがディスクからラジオに切り替えられたと判断すればステップＳ３（図３−１）に戻る一方、モードがディスクからラジオに切り替えられていないと判断すれば、ＡＣＣ電源がオフされたか否かを判断し（ステップＳ４３）、ＡＣＣ電源がオフされていないと判断すればステップＳ３７に戻り処理を繰り返す一方、ＡＣＣ電源がオフされたと判断すれば、その後処理を終える。
【００４９】
上記実施の形態（１）に係るオーディオ装置１０によれば、ディスク１の再生時には、再生音の音飛びを防止するためにディスク１から先行して読み取られた信号がショックプルーフメモリ１５に書き込まれる一方、ディスク１の非再生時に、チューナ部１９から取り込んだラジオ信号がショックプルーフメモリ１５に書き込まれ、聞き逃し再生操作があった場合、ショックプルーフメモリ１５に書き込まれたラジオ信号を遡って読み出して再生させることができる。
【００５０】
したがって、ディスク１の再生時に、音飛び防止のために使用されていたショックプルーフメモリ１５を、ディスク１の非再生時に、ラジオ音声の聞き逃し等があった場合に、ショックプルーフメモリ１５に書き込まれたラジオ信号を遡って再生させる機能に利用することができ、ショックプルーフメモリ１５の有効利用を図ることができ、新たな記憶部品を追加することなく、ラジオ音声の聞き逃し再生機能を低コストで実現することができる。
【００５１】
また、ショックプルーフメモリ１５へのラジオ信号の書き込み中に書込停止操作が検出された場合、ショックプルーフメモリ１５へのその後のラジオ信号の書き込みを停止し、書き込み済のラジオ信号を保持する制御が行われるので、保存しておきたい情報を消去せずに保持することができ、別途読出操作により後で繰り返し聞くことができる。
【００５２】
また、ラジオ信号をショックプルーフメモリ１５に書き込まないように切替スイッチ２１が設定され、モードにラジオが選択され、かつディスク１の装着が検出されている場合には、ディスク１の次の再生開始位置からの信号がショックプルーフメモリ１５に先行して書き込まれるので、次にディスク１の再生が開始されたときに、ディスク１からの信号の読み出し動作（ディスク１を規定回転まで回し、光ピックアップ１１ｂを目標の読取位置まで移動させる動作）の完了を待つことなく、ショックプルーフメモリ１５に書き込まれている次の再生開始位置からの信号を読み出して、すぐに再生を開始することができ、モードの切替時に遅滞のないディスク１の再生を行うことができる。
【００５３】
また、上記したディスクの再生機能とラジオの受信機能とが、１チップのオーディオ装置用集積回路３０で構成されているので、ショックプルーフメモリ１５を、本来のショックプルーフ機能の他に、ラジオ信号の聞き逃し再生機能に利用することができる構成を安価に実現することができる。
【００５４】
図５は、実施の形態（２）に係るオーディオ装置の要部を概略的に示したブロック図である。但し、図２に示したオーディオ装置１０と同一機能を有する構成部分については、同一符号を付し、その説明を省略する。
【００５５】
実施の形態（１）に係るオーディオ装置１０では、モードがディスクの場合、ショックプルーフメモリ１５の全領域が、ディスク信号の書込に使用され、モードがラジオの場合、ショックプルーフメモリ１５の全領域が、ラジオ信号の書込に使用されており、ショックプルーフメモリ１５の全領域が、設定されたモードで単独利用できるように構成されている。
【００５６】
一方、実施の形態（２）に係るオーディオ装置１０Ａでは、ショックプルーフメモリ１５Ａが、図６に示したようにディスク用の記憶領域（領域Ａ）と、ラジオ用の記憶領域（領域Ｂ）とに分割して利用できるように構成されており、分割時において、モードがディスクの場合、ディスク用の記憶領域（領域Ａ）にディスク信号が書き込まれ、モードがラジオの場合、ラジオ用の記憶領域（領域Ｂ）にラジオ信号が書き込まれる。すなわち、モードが切り替えられた場合であっても、切替前のモードの蓄積データが、該モード用の記憶領域に保持され、該蓄積データの利用等を図ることが可能となっている。
【００５７】
また、実施の形態（２）に係るオーディオ装置１０Ａでは、ショックプルーフメモリ１５Ａをディスク用の記憶領域と、ラジオ用の記憶領域とに分割された状態から再結合し、連続した記憶領域として使用すること、また、再結合された状態から、再度分割して利用することも可能となっており、実施の形態（２）に係るオーディオ装置１０Ａでは、ショックプルーフメモリ１５Ａ、メモリ制御部１７Ａ、システム制御部１８Ａの機能、及びＡ／Ｄ変換部２０の後段にラジオ信号のディジタル処理を行うＤＳＰ２４が設けられている（すなわち、オーディオ装置用集積回路３０Ａが、ディジタル処理を行うラジオ受信機の機能と一体化されている）点が、実施の形態（１）に係るオーディオ装置１０と相違している。
【００５８】
図６は、ショックプルーフメモリ１５Ａが、ディスク用の記憶領域（領域Ａ）とラジオ用の記憶領域（領域Ｂ）とに分割されている状態を示したメモリマップ図である。図６に示した例では、ショックプルーフメモリ１５ＡのＬＯＷからＨＩまでの領域が、任意のポイントＰｘで領域Ａ（ＰｘからＨＩまでの領域）と領域Ｂ（ＬＯＷからＰｘまでの領域）とに分割されている。なお、ポイントＰｘの位置（すなわち、領域Ａと領域Ｂとの分割割合）は、所定の位置に初期設定されているが、操作部２２を通じてユーザが任意に設定することも可能となっている。
【００５９】
ディスク１から読み取られたオーディオ信号は、領域Ａ内の所定の書込ポイントからＨＩに向けて順次書き込まれ、ＨＩまで達するとＰｘへ移動し、再びＨＩに向けて循環して書き込まれるようになっている。なお、図６では、Ｐ３が再生時のデータ読出ポイント、Ｐ３〜Ｐ２が蓄積データ領域、Ｐ２が蓄積データの最後尾ポイント、Ｐ２〜Ｐ１が新たに書き込まれた新規書込データ領域、Ｐ１が新規書込データの最後尾ポイントを示しており、これらのポイントは、ディスク信号の書込・読出に応じて領域Ａ内を循環移動する。
【００６０】
一方、チューナ部１９で受信され、Ａ／Ｄ変換されたラジオ信号は、領域Ｂ内の任意の書込ポイントからＰｘに向けて記録され、Ｐｘに達するとＬＯＷへ移動し、再びＰｘに向けて循環して書き込まれるようになっている。なお図６では、Ｐ４〜Ｐ５が蓄積データ領域を示しており、Ｐ４が蓄積データの最後尾ポイント、Ｐ５が蓄積データの最前ポイントを示しており、これらのポイントは、ラジオ信号の書込・読出に応じて領域Ｂ内を循環移動する。
【００６１】
図７は、図６に示したショックプルーフメモリ１５Ａの分割状態の解除操作があった場合に、分割状態が解除されて、ＬＯＷからＨＩまでの領域が結合された状態を示したメモリマップ図である。
【００６２】
図７（ａ）は、モードがディスクの時に、図６に示した分割状態から結合状態に移行した後のデータ配置状態を示しており、分割時に領域ＡのＰｘからＰ１に記録されていたディスクのデータが、結合後にＬＯＷからＰ１に再配置され、Ｐ３からＰ１までのディスクのデータが、Ｐ３、Ｐ２、ＨＩ、ＬＯＷ、Ｐ１の順で連続したデータとして利用できるように再配置され、新たにディスク１から読み込まれた信号は、Ｐ１からＨＩに向けて、ポイントＰ３を越えないように書き込まれるようになっている。
【００６３】
図７（ｂ）は、モードがディスクの時に、図６に示した分割状態から結合状態に移行した後のデータ配置状態を示しており、特に領域Ｂ内に記録されたラジオのデータ（Ｐ４からＰ５までのデータ）の保護設定がなされている場合を示している。
【００６４】
この場合、領域Ｂ内に記録されたＰ４からＰ５までのラジオの保護データが、ＬＯＷの位置から再配置され、分割時にＰｘからＰ１に記録されていたディスクのデータが、結合後にＰ５からＰ１に再配置され、Ｐ３からＰ１までのディスクのデータが、Ｐ３、Ｐ２、ＨＩ、Ｐ５、Ｐ１で連続したデータ（Ｐ４からＰ５までの間はトリミング）として利用できるように再配置され、新たにディスクから読み込まれた信号は、Ｐ１からＨＩに向けて、ポイントＰ３を越えないように書き込まれるようになっている。
【００６５】
図７（ｃ）は、モードがラジオの時に、図６に示した分割状態から結合状態に移行した後のデータ配置状態を示しており、分割時に領域ＢのＰ４からＰｘに記録されていたラジオのデータが、連結後にＰ４からＨＩに再配置され、Ｐ４からＰ５までのラジオのデータが、Ｐ４、ＨＩ、ＬＯＷ、Ｐ５の順で連続したデータとして利用できるように再配置され、新たに取り込んだラジオ信号は、Ｐ５からＨＩに向けて書き込まれるようになっている。
【００６６】
また、図７（ａ）〜（ｃ）に示した結合状態から図６に示した分割状態に戻す操作がなされた場合には、また、図７（ａ）〜（ｃ）に示した結合状態から図６に示した分割状態に各データが再配置されるようになっている。
【００６７】
次に実施の形態（２）に係るオーディオ装置１０Ａにおけるシステム制御部１８Ａの行う処理動作を図８−１〜図８−３に示したフロ−チャ−トに基づいて説明する。
まず、ＡＣＣ電源がオンされたか否かを判断し（ステップＳ５１）、ＡＣＣ電源がオンされていないと判断すれば処理を終える一方、ＡＣＣ電源がオンされたと判断すれば、ショックプルーフメモリ１５Ａの分割ポイントＰｘを設定する（ステップＳ５２）。
【００６８】
次に、モードを判断する（ステップＳ５３）。なお、モードの判断は、前回のＡＣＣ電源オフ時のモード（ラストモード）や操作部を介して入力されたモードの選択信号に基づいて判断される。ステップＳ５３において、モードがラジオであると判断すれば、チューナ部１９で受信され、ディジタル処理されたラジオ信号をショックプルーフメモリ１５Ａの領域Ｂに順次書き込む（空き領域が無くなれば上書き保存）と共に、ショックプルーフメモリ１５Ａの領域Ｂに書き込まれたラジオ信号を順次読み出してＤ／Ａ変換部１６に転送して、通常放送速度でラジオ音声を出力するラジオ信号の書込・読出処理を行う（ステップＳ５４）。
【００６９】
次に、ディスク１が装着されているか否かを判断し（ステップＳ５５）、ディスク１が装着されていないと判断すれば、ＡＣＣ電源がオフされたか否かを判断し（ステップＳ５６）、ＡＣＣ電源がオフされたと判断すれば処理を終える一方、ＡＣＣ電源がオフされていないと判断すればステップＳ５４に戻り処理を繰り返す。
【００７０】
一方ステップＳ５５において、ディスク１が装着されていると判断すれば、ディスク１の次の再生開始位置からの信号を読み込み、ショックプルーフメモリ１５Ａの領域Ａに書き込む処理を行う（ステップＳ５７）。
【００７１】
すなわち、前回のＡＣＣ電源オフ時に記憶されたデータ（前回の再生停止位置、未再生の場合等は先頭曲の位置）等に基づいて、ディスク１の信号読み取り位置を決定し、次に、ショックプルーフメモリ１５Ａの領域Ａにおけるディスク信号の書込開始ポイントを設定し、通常再生速度よりも高速でディスク１の信号を読み込み、読み込んだディスク１の信号を書込開始ポイントから順次書き込む処理を行う。なお、書き込み時に、トラックジャンプ等の修復不能なエラーが検出された場合には、同一箇所を再度読み込む処理を行うようになっている。
【００７２】
次に、ショックプルーフメモリ１５Ａの領域Ａの空き領域が、所定容量（一回のアクセスで読み込まれるデータ量）未満になったか（すなわち、領域Ａがディスク信号で満杯か）否かを判断し（ステップＳ５８）、領域Ａの空き領域が所定容量以上ある（領域Ａが満杯ではない）と判断すれば、ステップＳ５７に戻り処理を繰り返す一方、領域Ａの空き領域が所定容量未満になった（領域Ａが満杯である）と判断すれば、ディスク１の読み込みを停止し、ショックプルーフメモリ１５Ａの領域Ａに書き込まれたディスク信号を保持する処理を行い（ステップＳ５９）、その後ステップＳ６０に進む。
【００７３】
ステップＳ６０では、モードがラジオからディスクに切り替えられたか否かを判断し、モードが切り替えられていないと判断すれば、ＡＣＣ電源がオフされたか否かを判断し（ステップＳ６１）、ＡＣＣ電源がオフされていないと判断すればステップＳ６０に戻る一方、ＡＣＣ電源がオフされたと判断すればその後処理を終える。一方、ステップＳ６０において、モードが切り替えられたと判断すればステップＳ６２（図８−２）に進む。
【００７４】
ステップＳ６２では、チューナ部１９に受信停止信号を送出し、ラジオの受信を停止する処理を行い、その後ステップＳ６３に進む。なお、ショックプルーフメモリ１５Ａの領域Ｂに書き込まれているラジオ信号は保持されるようになっている。
【００７５】
ステップＳ６３では、ショックプルーフメモリ１５Ａの領域Ａに書き込まれている次の再生開始位置からのディスク信号を通常再生速度で読み出し、Ｄ／Ａ変換部１６に転送するディスク信号の再生処理を開始し、続くステップＳ６４では、領域Ａの空き領域が所定容量ＶＬ （１回のアクセスで読み込まれるデータ量）より大きくなった場合に、ショックプルーフメモリ１５Ａの領域Ａに保持されたデータの続きの信号を通常再生速度より高速で読み込み、読み込んだ信号をショックプルーフメモリ１５Ａの領域Ａに順次書き込むと共に、領域Ａから通常再生速度でデータを連続的に読み出して再生する処理を行う。
【００７６】
次に、モードがディスクからラジオに切り替えられたか否かを判断し（ステップＳ６５）、モードが切り替えられていないと判断すれば、ＡＣＣ電源がオフされたか否かを判断し（ステップＳ６６）、ＡＣＣ電源がオフされていないと判断すればステップＳ６４に戻り処理を繰り返す一方、ＡＣＣ電源がオフされたと判断すれば処理を終える。
【００７７】
一方ステップＳ６５において、モードが切り替えられたと判断すれば、その後ステップＳ６７（図８−３）に進む。ステップＳ６７では、ディスク１の再生を停止すると共に、ショックプルーフメモリ１５Ａの領域Ａに書き込まれたディスク信号を保持する処理を行う。
【００７８】
続くステップＳ６８では、ラジオ受信を開始して、チューナ部１９で受信され、ディジタル処理されたラジオ信号をショックプルーフメモリ１５Ａの領域Ｂに順次書き込むと共に、ショックプルーフメモリ１５Ａの領域Ｂに書き込まれたラジオ信号を順次読み出してＤ／Ａに転送し、通常放送速度でラジオ音声を出力する処理を行い、その後、モードがラジオからディスクに切り替えられたか否かを判断する（ステップＳ６９）。
【００７９】
ステップＳ６９において、モードが切り替えられたと判断すればステップＳ６２（図８−２）に戻り処理を繰り返す一方、モードが切り替えられていないと判断すれば、次にＡＣＣ電源がオフされたか否かを判断し（ステップＳ７０）、ＡＣＣ電源がオフされていないと判断すればステップＳ６８に戻り処理を繰り返す一方、ＡＣＣ電源がオフされたと判断すればその後処理を終える。
【００８０】
また一方、ステップＳ５３（図８−１）において、モードがディスクであると判断すればステップＳ７１に進み、ディスク１の信号を通常再生速度よりも高速で読み取りながらショックプルーフメモリ１５Ａの領域Ａに書き込むと共に、領域Ａから通常再生速度でデータを連続的に読み出して再生する処理を行う。
【００８１】
その後、モードがディスクからラジオに切り替えられたか否かを判断し（ステップＳ７２）、モードが切り替えられたと判断すれば、ステップＳ６７（図８−３）に進む一方、モードが切り替えられていないと判断すれば、ＡＣＣ電源がオフされたか否かを判断し（ステップＳ７３）、ＡＣＣ電源がオフされていないと判断すればステップＳ７１に戻り処理を繰り返す一方、ＡＣＣ電源がオフされたと判断すれば処理を終える。
【００８２】
次に実施の形態（２）に係るオーディオ装置１０Ａにおけるシステム制御部１８Ａの行う処理動作を図９に示したフローチャートに基づいて説明する。なお、本処理動作は、モードがラジオに設定されている場合に割り込み処理で実行される。
【００８３】
まず、ショックプルーフメモリ１５Ｂに書き込まれたラジオ信号を保護するための操作があったか否かを判断し（ステップＳ８１）、ラジオ信号保護操作がなかったと判断すれば処理を終える一方、ラジオ信号保護操作があったと判断すれば、ショックプルーフメモリ１５Ｂに書き込まれた所定時間分（例えば、最新の書込ポイントから一定時間前まで）のラジオ信号を保護する設定、すなわち上書き消去しない設定を行い（ステップＳ８２）、その後処理を終える。なお、その後のラジオ信号の書込及び読出処理は、保護されていない領域を使って実行される。
【００８４】
次に実施の形態（２）に係るオーディオ装置１０Ａにおけるシステム制御部１８Ａの行う処理動作を図１０に示したフローチャートに基づいて説明する。なお、本処理動作は、ショックプルーフメモリ１５Ａが領域Ａと領域Ｂとに分割されて利用されている場合に割り込み処理で実行される。
【００８５】
まず、ステップＳ９１では、ショックプルーフメモリ１５Ａの分割されている領域Ａと領域Ｂとを結合して使用するための領域結合操作があったか否かを判断し、領域結合操作がなかったと判断すれば処理を終える一方、領域結合操作があったと判断すれば、現在のモードを判断する（ステップＳ９２）。
【００８６】
ステップＳ９２において、現在のモードがディスクであると判断すれば、領域Ｂにラジオ信号の保護領域の設定があるか否かを判断し（ステップＳ９３）、領域Ｂにラジオ信号の保護領域の設定がないと判断すれば、図７（ａ）に示したように、領域Ａと領域Ｂとを分割ポイントＰｘで結合し、領域Ａに記録されたディスク信号を連続性を持たせる位置に再配置する処理を行い（ステップＳ９４）、その後処理を終える。
【００８７】
一方、ステップＳ９３において、領域Ｂにラジオ信号の保護領域の設定があると判断すれば、図７（ｂ）に示したように、領域Ａと領域Ｂとを分割ポイントＰｘで結合し、ラジオ信号の保護領域を所定の領域に再配置すると共に、領域Ａに記録されたディスクの信号を連続性を持たせた位置に再配置する処理を行い（ステップＳ９５）、その後処理を終える。
【００８８】
また一方、ステップＳ９２において、現在のモードがラジオであると判断すれば、図７（ｃ）に示したように、領域Ａと領域Ｂとを分割ポイントＰｘで結合し、領域Ｂに記録されたラジオ信号を連続性を持たせた位置に再配置する処理を行い（ステップＳ９６）、その後処理を終える。
【００８９】
次に実施の形態（２）に係るオーディオ装置１０Ａにおけるシステム制御部１８Ａの行う処理動作を図１１に示したフローチャートに基づいて説明する。なお、本処理動作は、ショックプルーフメモリ１５Ａの領域Ａと領域Ｂとが結合して使用されている場合に割り込み処理で実行される。
【００９０】
まず、ステップＳ１０１では、ショックプルーフメモリ１５Ａを領域Ａと領域Ｂとに分割して使用するための領域分割操作があったか否かを判断し、領域分割操作がなかったと判断すれば処理を終える一方、領域分割操作があったと判断すれば、現在のモードを判断する（ステップＳ１０２）。
【００９１】
ステップＳ１０２において、現在のモードがディスクであると判断すれば、ラジオ信号の保護領域の設定があるか否かを判断し（ステップＳ１０３）、ラジオ信号の保護領域の設定がないと判断すれば、ＬＯＷからＨＩの領域に書き込まれたディスク信号の内、現再生ポイントから領域Ａ内に書き込めるだけのデータを、連続性を持たせるように領域Ａに再配置して、領域Ａと領域Ｂとに分割する処理を行い（ステップＳ１０４）、その後処理を終える。
【００９２】
一方、ステップＳ１０３において、ラジオ信号の保護領域の設定があると判断すれば、ラジオ信号の保護領域を領域Ｂ内に再配置すると共に、ＬＯＷからＨＩの残りの領域に書き込まれているディスクの信号を、現再生ポイントから領域Ａ内に書き込めるだけのデータを、連続性を持たせるように領域Ａに再配置して、領域Ａと領域Ｂとを分割する処理を行い（ステップＳ１０５）、その後処理を終える。
【００９３】
また一方、ステップＳ１０２において、現在のモードがラジオであると判断すれば、ＬＯＷからＨＩの領域に書き込まれているラジオ信号を、現再生ポイントから領域Ｂ内に書き込めるだけのデータを、連続性を持たせるように領域Ｂに再配置して、領域Ａと領域Ｂとに分割する処理を行い（ステップＳ１０６）、その後処理を終える。
【００９４】
次に実施の形態（２）に係るオーディオ装置１０Ａにおけるシステム制御部１８Ａの行う領域結合後のディスク再生処理動作を図１２に示したフローチャートに基づいて説明する。
【００９５】
まず、ステップＳ１１１では、記憶領域におけるディスク信号の読出ポイントＰ３と、蓄積データの最後尾ポイントＰ２とが同じ位置（Ｐ２＝Ｐ３）であるか、すなわち、読出可能なディスク信号があるか否かを判断し、Ｐ２＝Ｐ３である、すなわち、読出可能なディスク信号がないと判断すればステップＳ１１７に進む一方、Ｐ２＝Ｐ３ではない（読出可能なディスク信号がある）と判断すれば、読出ポインタＰ３から通常再生速度で蓄積データを読み出し、Ｄ／Ａ変換部１６に転送する処理を行う（ステップＳ１１２）。なお、Ｄ／Ａ変換部１６に転送されたディスク信号は、アナログのオーディオ信号に変換され、アンプ、スピーカを介して出力される。
【００９６】
次に、読出ポイントＰ３の更新、すなわち、読出ポイントＰ３から読出したデータ量ＰＬｘを加えた位置を次の読出ポイントＰ３に更新し（ステップＳ１１３）、更新後の読出ポイントＰ３が、ラジオ信号の保護領域に入るか否かを判断する（ステップＳ１１４）。      
【００９７】
ステップＳ１１４において、更新後の読出ポイントＰ３が、ラジオ信号の保護領域に入ると判断すれば、ラジオ信号の保護領域のデータ量ＰＨｘを加えた位置を次の読出ポイントＰ３に変更し（ステップＳ１１５）、ステップＳ１１６に進む一方、ステップＳ１１４において、更新後の読出ポイントＰ３が、ラジオ信号の保護領域に入らないと判断すればステップＳ１１６に進む。
【００９８】
ステップＳ１１６では、ショックプルーフメモリ１５Ａの空き領域が、一回の読込データ量ＲＤｘより大きいか否かを判断し、メモリ１５Ａの空き領域がＲＤｘ以下である（すなわち、ディスクの信号を先読みする必要がない）と判断すれば、ステップＳ１１２に戻り処理を繰り返す一方、メモリ１５Ａの空き領域が、ＲＤｘより大きいと判断すればステップＳ１１７に進む。
【００９９】
ステップＳ１１７では、ディスク１の信号を通常再生速度よりも高速で読み込み、空き領域に順次書き込む処理（先読み処理）を行い、その後ディスク再生の停止操作があったか否かを判断し、ディスク再生の停止操作がなかったと判断すればステップＳ１１２に戻り処理を繰り返す一方、ディスク再生の停止操作があったと判断すればその後処理を終える。
【０１００】
なお、別の実施の形態では、上記ステップＳ１１１の処理に代えて、読出ポイントＰ３から最後尾ポイントＰ２までの蓄積データ量（Ｐ２−Ｐ３）が、所定データ量Ｐｙ（Ｐｙは、ディスク１にアクセスして、信号を読み込み、読み込んだ信号をメモリ１５Ａに書き込み、書き込んだ信号を読み出すまでの最大遅れ時間（＋α：余裕の時間）を補うデータ量を示す）より小さいか否かを判断し、蓄積データ量（Ｐ２−Ｐ３）が、判定データ量Ｐｙ以上であると判断すれば、ステップＳ１１２以降の処理に進む構成とすることもできる。
【０１０１】
係る構成によれば、ディスクの蓄積データ量（Ｐ２−Ｐ３）が少ない場合（ラジオ信号の保護領域が多く取られ、書き込み可能な空き領域が少ない場合も含む）には、必要量のデータをショックプルーフメモリ１５Ｂに書き込んだ後で、読み出しを開始することにより、音切れ等の発生を防止することができる。
【０１０２】
上記実施の形態（２）に係るオーディオ装置１０Ａによれば、ショックプルーフメモリ１５Ａが、ディスク用の記憶領域（領域Ａ）とラジオ用の記憶領域（領域Ｂ）とに分割され、これら各記憶領域に対して各信号の書き込み制御及び読み出し制御が行われるので、モードがラジオの場合には、ラジオ信号の領域Ｂへの書き込み及び読み出し処理を行いながら、ディスク１から次の再生開始位置からの信号を読み込み、該信号を領域Ａに書き込むことができる。
【０１０３】
したがって、次にモードがディスクに切り替えられた時に、ディスク１からの信号の読み出し動作（ディスク１を規定回転まで回し、光ピックアップ１１ｂを目標の読取位置まで移動させる動作）の完了を待つことなく、ショックプルーフメモリ１５Ａの領域Ａに書き込まれている次の再生開始位置からの信号を読み出して、すぐに再生を開始することができる。
【０１０４】
また、ショックプルーフメモリ１５Ａが領域Ａと領域Ｂとに分割して利用されている場合に、領域結合操作がなされると、分割されたディスク用の記憶領域（領域Ａ）とラジオ用の記憶領域（領域Ｂ）とが図７（ａ）〜（ｃ）で説明した形態で再結合され、該再結合されたＬＯＷからＨＩまでの連続した記憶領域に対して、選択されているモード（ディスク又はラジオ）の信号の書き込み制御及び読み出し制御が行われるので、再結合により選択されているモードの信号を記録できる記憶領域を広げることができる。また、分割時に蓄積されていたデ−タを破棄することなく、すなわち、連続したデータとして扱える位置に再配置して、信号の書き込み及び読み出し処理を継続することができる。
【０１０５】
また、ラジオ用の記憶領域（領域Ｂ）に書き込まれたデータを保護する設定がなされた場合には、モードがディスクで、領域Ａと領域Ｂとが結合された場合であっても、保護されたラジオ信号の記憶領域への書き込みが禁止されるので、ラジオ信号を保護した状態でディスクの再生を行うことができる。また、保護されたラジオ信号を後で繰り返し聞くことができる。
【０１０６】
また、上記実施の形態（１）、（２）では、ディスク１として音楽ＣＤを再生可能なオーディオ装置に適用した場合について説明したが、別の実施の形態では、音楽ＣＤだけでなく、ＣＤーＲＯＭ等に圧縮して記録されたオーディオ信号の再生が可能なオーディオ装置にも適用することができ、その場合の装置の概略構成を図１３に示している。
【０１０７】
図１３に示した別の実施の形態に係るオーディオ装置１０Ｂが、図５に示したオーディオ装置１０Ａと相違する点は、ディジタル信号処理部１４とショックプルーフメモリ１５Ｂとの間に、ＣＤ−ＲＯＭデータのエラー訂正部２５、エラー訂正（ＥＣＣ）メモリ２６が設けられている点、ショックプルーフメモリ１５ＢとＤ／Ａ変換部１６との間に、ショックプルーフメモリ１５Ｂから読み出された圧縮データを伸張して元の信号に戻す圧縮デコード部２７とが設けられている点、及びＤＳＰ２４とショックプルーフメモリ１５Ｂとの間に、チューナ部１９で受信され、ディジタル処理されたラジオ信号を所定形式（ＭＰ３、ＷＭＡ等）の圧縮データに変換する圧縮処理部２８が設けられている点にある。
【０１０８】
したがって、モードがラジオに設定されている場合、チューナ部１９で受信され、ディジタル処理されたラジオ信号を圧縮処理部２８で圧縮し、圧縮データとしてショックプルーフメモリ１５Ｂに蓄積していくことができるとともに、ショックプルーフメモリ１５Ａからラジオ信号の圧縮データを読み出し、読み出した圧縮データを圧縮デコード部２７で、伸張して元のラジオ信号に戻してＤ／Ａ変換部１６に転送することが可能となっている。
【０１０９】
係る構成によれば、ショックプルーフメモリ１５Ｂを効率よく利用することができ、メモリ容量を大きくすることなく、長時間の信号記憶が可能となる。特にショックプルーフメモリ１５Ｂを分割して利用する場合であっても、容量の大きなメモリを使用しなくてもよく、分割による領域Ａ、Ｂの容量低下を、データの圧縮により補うことができ、記憶量が極端に少なくなり、ショックプルーフメモリとしての機能が損なわれることを防止することができる。
【０１１０】
また、上記実施の形態（１）、（２）では、ショックプルーフメモリ１５、１５Ａに記憶するディスク以外の信号として、チューナ部１９で受信したラジオ信号を記憶させる場合について説明したが、ショックプルーフメモリ１５、１５Ａに蓄積させる信号は、ラジオ信号に限定されるものではなく、例えば、図１４に他の実施の形態に係るオーディオ装置１０Ｃの概略構成を示したように、マイク３１、アンプ３２、Ａ／Ｄ変換部３３、切替スイッチ３４を更に追加して、チューナ部１９からのラジオ信号と、マイク３１からの音声信号とを、切替スイッチ３４の設定状態に応じて、上記と同様な処理によりショックプルーフメモリ１５Ｃに蓄積させる構成とすることができる。この場合、ショックプルーフメモリ１５Ｃをボイスメモとして利用することができ、新たにメモリを追加することなくマイク３１から入力された音声を記録する機能を安価に実現することができる。
【０１１１】
また、上記実施の形態（１）、（２）では、ディスク駆動部１１以外の他の音源部として、ラジオ放送を受信するチューナ部１９が採用された場合について説明したが、ラジオ放送を受信するチューナ部１９以外の音源部、例えば、ブロードキャストデータを受信するディジタル放送受信機等をディスク読取手段以外の他の音源部として採用することができる。
【図面の簡単な説明】
【０１１２】
【図１】従来のオーディオ装置の要部を概略的に示したブロック図である。
【図２】本発明の実施の形態（１）に係るオーディオ装置の要部を概略的に示したブロック図である。
【図３−１】実施の形態（１）に係るオーディオ装置におけるシステム制御部の行う処理動作を示したフローチャートである。
【図３−２】実施の形態（１）に係るオーディオ装置におけるシステム制御部の行う処理動作を示したフローチャートである。
【図３−３】実施の形態（１）に係るオーディオ装置におけるシステム制御部の行う処理動作を示したフローチャートである。
【図４】実施の形態（１）に係るオーディオ装置におけるショックプルーフメモリ１５Ａへのラジオ信号の書込動作を説明するためのメモリマップ図である。
【図５】実施の形態（２）に係るオーディオ装置の要部を概略的に示したブロック図である。
【図６】実施の形態（２）に係るオーディオ装置におけるショックプルーフメモリが、ディスク用の記憶領域とラジオ用の記憶領域とに分割されている状態を示したメモリマップ図である。
【図７】（ａ）〜（ｃ）は、図６に示したショックプルーフメモリ１５Ａの分割状態が解除され、ＬＯＷからＨＩまで領域が結合された状態を示したメモリマップ図である。
【図８−１】実施の形態（２）に係るオーディオ装置におけるシステム制御部の行う処理動作を示したフローチャートである。
【図８−２】実施の形態（２）に係るオーディオ装置におけるシステム制御部の行う処理動作を示したフローチャートである。
【図８−３】実施の形態（２）に係るオーディオ装置におけるシステム制御部の行う処理動作を示したフローチャートである。
【図９】実施の形態（２）に係るオーディオ装置におけるシステム制御部の行う処理動作を示したフローチャートである。
【図１０】実施の形態（２）に係るオーディオ装置におけるシステム制御部の行う処理動作を示したフローチャートである。
【図１１】実施の形態（２）に係るオーディオ装置におけるシステム制御部の行う処理動作を示したフローチャートである。
【図１２】実施の形態（２）に係るオーディオ装置におけるシステム制御部の行う領域結合後のディスク再生処理動作を示したフローチャートである。
【図１３】別の実施の形態に係るオーディオ装置の要部を概略的に示したブロック図である。
【図１４】さらに別の実施の形態に係るオーディオ装置の要部を概略的に示したブロック図である。
【符号の説明】
【０１１３】
１０、１０Ａ、１０Ｂ、１０Ｃ  オーディオ装置
１５、１５Ａ、１５Ｂ、１５Ｃ  ショックプルーフメモリ
１７、１７Ａ、１７Ｂ、１７Ｃ  メモリ制御部
１８、１８Ａ、１８Ｂ、１８Ｃ  システム制御部
３０、３０Ａ、３０Ｂ、３０Ｃ  オーディオ装置用集積回路
【図１】
2008004179.tif 000003
【図２】
2008004179.tif 000004
【図３−１】
2008004179.tif 000005
【図３−２】
2008004179.tif 000006
【図３−３】
2008004179.tif 000007
【図４】
2008004179.tif 000008
【図５】
2008004179.tif 000009
【図６】
2008004179.tif 000010
【図７】
2008004179.tif 000011
【図８−１】
2008004179.tif 000012
【図８−２】
2008004179.tif 000013
【図８−３】
2008004179.tif 000014
【図９】
2008004179.tif 000015
【図１０】
2008004179.tif 000016
【図１１】
2008004179.tif 000017
【図１２】
2008004179.tif 000018
【図１３】
2008004179.tif 000019
【図１４】
2008004179.tif 000020